(57)【要約】      （修正有）【課題】  エスカレータの手摺ベルトに沿うように走行させることにより、エスカレータに係わる各種情報を持つ表示テープを貼付する、簡易な表示テープ貼付装置を提供する。【解決手段】  垂直平行状左右側板１の前後連結板１０の左右に、間隔の調整可能な垂直案内ロール１５を、垂直平行状左右側板１下部の同一平面上に、前後一対の可撓性ロール１７を夫々設け、垂直案内ロール１５間にエスカレータの手摺ベルト５０を走行可能に収容し、可撓性前ロール１７直上位の垂直平行状左右側板１の垂直状案内溝２に、表面の当該エスカレータに係わる情報表示層を内側に巻き付けた表示テープリール４０Ａを軸３７架して、引張りスプリング３９で可撓性前ロール１７側に弾引し、前後の可撓性ロール１７間の垂直平行状左右側板１に、表示テープ４０の左右両側部を、手摺ベルト５０の左右両側部に帖付する横ブラシ１２４を先下がり状に設ける。【選択図】    図９
2006290611.tif 000002
【特許請求の範囲】
【請求項１】
垂直平行状左右側板（１、１）前後の連結板（１０、１０）の左右両側部に、各種手摺、案内柵、規制柵等の長尺材（５０、７１）の垂直平行状案内ロール（１５、１５）を、また、前記垂直平行状左右側板（１、１）下部の同一平面上に、前後一対の平行状可撓性ロール（１７、１１７）を夫々設けるとともに、前記垂直平行状左右側板（１、１）の可撓性前ロール（１７、１１７）直上位の垂直状案内溝（２）に、前記長尺材（５０、７１）に係わる各種情報の表示層（４２）付き表示テープ（４０）のリール（４０Ａ）を軸（３７）架し、該表示テープリール（４０Ａ）を前記可撓性前ロール（１７、１１７）側に弾圧手段（３９）で弾圧する表示テープ貼付装置（Ｘ、ＸＡ）の、前記長尺材（５０、７１）の長さ方向への進行により、前記表示テープリール（４０Ａ）から引き出した表示テープ（４０）を、前記可撓性ロール（１７、１１７）により前記長尺材（５０、７１）に貼付させる様にしたことを特徴とする長尺材への表示テープ貼付装置。
【請求項２】
前記前後の可撓性ロール（１７、１７）間の垂直平行状左右側板（１、１）に、前記長尺材（５０、７１）の上面（Ｂ）に当接する垂直状ブラシ足（２４）を備える上ブラシ（２０）と、該長尺材（５０、７１）の側面（Ｃ）に当接する水平状ブラシ足（２９、１２９）を備える横ブラシ（２５、１２４）を順次設けたことを特徴とする請求項１記載の長尺材への表示テープ貼付装置。
【請求項３】
前記可撓性前後ロール（１１７、１１７）が、前記長尺材（５０、７１）の少なくとも上半部形状に追随して湾曲可能な可撓性を備えるとともに、該可撓性後ロール（１１７）直前位の垂直平行状左右側板（１、１）に、当該長尺材（５０、７１）の厚さを越える高さの水平状ブラシ足（１２９）を備える横ブラシ（１２４）を設けたことを特徴とする請求項１記載の長尺材への表示テープ貼付装置。
【請求項４】
前記可撓性前ロール（１１７）から僅かに離間する上位に、該可撓性前ロール（１１７）と平行するに第１緊張軸（１２０）を設け、該第１緊張棒（１２０）に前記表示テープリール（４０Ａ）の下部を当接可能にし、該第１緊張棒（１２０）と前記表示テープリール（４０Ａ）の当接部から引き出した表示テープ（４０）を、前記可撓性前ロール（１１７）の前側を介してその下部へ誘導させるようにしたことを特徴とする請求項１又は３の何れかに記載の長尺材への表示テープ貼付装置。
【請求項５】
前記可撓性前ロール（１１７）の上位に、適宜間隔を存して設けた当該可撓性前ロール（１１７）に平行する前記第１緊張棒（１２０）と、前記可撓性前ロール（１１７）との中央部前側に、それらと平行する第２緊張棒（１２２）を設け、前記表示テープリール（４０Ａ）下部と前記第１緊張棒（１２０）との当接部から、それらの前側に引き出した表示テープ（４０）を、前記第２緊張棒１２２を介して、前記可撓性前ロール（１１７）前側からその下部へ誘導させる様にしたことを特徴とする請求項１、３、４の何れかに記載の長尺材への表示テープ貼付装置。
【請求項６】
前記前後の可撓性ロール（１１７、１１７）間で、当該可撓性後ロール（１１７）よりの垂直平行状左右側板（１、１）に設けた前記横ブラシ（１２４）の、水平状ブラシ足（１２９）を先下がり状に構成したことを特徴とする請求項１、３〜５の何れかに記載の示テープ貼付装置。
【請求項７】
前記垂直平行状左右側板（１、１）を透明硬質プラスチック材製とし、該透明硬質プラスチック材製垂直平行状左右側板（１、１）の後側上位の欠落部（３）周り内側に握り棒（５）を設けるとともに、前記透明硬質プラスチック材製垂直平行状左右側板（１、１）の何れか一側の中央部外側にグリップ（７）を交互に取付け、取り外し可能に設けたことを特徴とする請求項１〜６の何れかに記載の長尺材への表示テープ貼付装置。
【請求項８】
垂直平行状左右側板（１、１）前後の連結板（１０、１０）の左右両側部に、対向間隔の調整可能な二対の垂直案内ロール（１５、１５）を、また、前記垂直平行状左右両側板（１、１）下部の同一平面上に、前後一対の平行状可撓性ロール（１７、１７、１１７、１１７）を夫々設け、該垂直平行状左右両側板（１、１）下部の可撓性前ロール（１７、１１７）直上位の垂直状案内溝（２）に、裏面の接着剤（４３）に剥離テープ（４４）が貼付され、各種長尺材（５０、７１）に係わる情報表示層（４２）を内側に巻付けた表示テープリール（４０Ａ）を、前記可撓性前ロール（１７、１１７）側へ弾圧する様に軸（３７）架した表示テープ貼付装置（Ｘ、ＸＡ）を、当該長尺材（５０、７１）の長さ方向へ進行させて、前記表示テープリール（４０Ａ）下部の可撓性前ロール（１７、１１７）上部と表示テープリール（４０Ａ）下部との当接部から、それらの前側に引き出した表示テープ（４０）を、当該可撓性前ロール（１７、１１７）前側を介してその下部に誘導し、該可撓性前ロール（１７、１１７）により前記長尺材（５０、７１）の頂部に貼付し、然る後、該表示テープ（４０）の左右両側部（４１Ｂ）を、前記可撓性前ロール（１７、１１７）後位の垂直平行状左右側板（１、１）上の横ブラシ（２５、１２４）により、当該長尺材（５０、７１）側部に貼付することを特徴とする長尺材への表示テープ貼付方法。
【請求項９】
前記表示テープリール（４０Ａ）の下部と、前記可撓性前ロール（１１７）よりやや上位で、該可撓性前ロール（１１７）と平行する第１緊張軸（１２０）上部との当接部から、それらの前側に引き出した表示テープ（４０）を、該可撓性前ロール（１１７）の前側に沿ってその下側へ誘導し、該可撓性前ロール（１１７）により前記長尺材（５０、７１）に貼付することを特徴とする請求項８記載の長尺材への表示テープ貼付方法。
【請求項１０】
前記表示テープ貼付装置（Ｘ、ＸＡ）を、停止するエスカレータ、動く歩道等の長尺材の、左右何れか一側の手摺ベルト（５０）又は手摺（７１）の開放された端部上側に取付けた後、該表示テープ貼付装置（Ｘ、ＸＡ）を把持する操作者が、停止する当該エスカレータの階段を降り、又は移動通路を進行して、当該手摺ベルト（５０）又は手摺（７１）の開放された頂部の他端部まで表示テープ（４０）を貼付した後、前記エカレータ、動く歩道等の移動通路を駆動して、当該エスカレータ又は動く歩道、その手摺ベルト（５０）又は手摺（７１）、停止する表示テープ貼付装置（Ｘ、ＸＡ）及びその操作者を、前記表示テープ（４０）の貼付長さ相応に後退させて停止させ、当該表示テープ貼付装置（Ｘ、ＸＡ）による移動手摺ベルト（５０）又は手摺（７１）への当該表示テープ（４０）の前記貼付操作と同様な操作の繰返しにより、当該移動手摺ベルト（５０）又は手摺（７１）全長の頂側部に表示テープ（４０）を貼付し、然る後、当該表示テープ貼付装置（Ｘ、ＸＡ）を一側移動手摺ベルト（５０）又は手摺（７１）から取り外して、他側手摺ベルト（５０）又は手摺（７１）の開放された端部に取り付け、該表示テープ貼付装置（Ｘ、ＸＡ）による前記と同様な貼付操作の繰り返しにより、他側手摺ベルト（５０）又は手摺（７１）全長の頂側部に表示テープ（４０）を貼付し、次いで、当該表示テープ貼付装置（Ｘ、ＸＡ）を当該手摺ベルト（５０）又は手摺（７１）の開放部から取り外して、次回の表示テープの操作に備えることを特徴とする請求項８又は９の何れかに記載の長尺材への表示テープ貼付方法。
【請求項１１】
前記表示テープリール（４０Ａ）から引き出した表示テープ（４０）の、前記可撓性ロール（１７、１７）の下部による前記長尺材（５０、７１）頂部への貼付に当り、前記表示テープ（４０）裏面の接着剤（４３）から剥離した遊離剥離テープ（４４Ａ）を、該表示テープリール（４０Ａ）周りを一周させた後、当該表示テープリール（４０Ａ）周側の表示テープ本体（４１）の表示層（４２）外側と、前記可撓性前ロール（１７）上面間に挿入し、該遊離剥離テープ（４４Ａ）を介して前記表示層（４２）を押圧する様に給送し、前記握り棒（５）とグリップ（７）を把持する操作者の押圧力により、当該表示テープ（４０）を前記長尺材（５０、７１）に貼付することを特徴とする請求項８又は１０の何れかに記載の長尺材への表示テープ貼付方法。
【請求項１２】
前記停止するエスカレータの左右何れかの開放された手摺ベルト（５０）上部に取り付けた表示テープ貼付装置（Ｘ、ＸＡ）を、当該手摺ベルト（５０）の長さ方向に沿ってその開放された他端部まで進行させ、当該手摺ベルト（５０）頂側部への表示テープ（４０）の貼付操作繰返しにより、当該手摺ベルト（５０）全長の頂側部へ表示テープ（４０）を貼付した後、当該表示テープ貼付装置（Ｘ、ＸＡ）を他側手摺ベルト（５０）の開放頂部の端部に移し替えるとともに、前記グリップ（７）を垂直平行状左右側板（１）の一側中央部外側から他側の中央部外側に移し替えた後、又は当該表示テープ貼付装置（Ｘ，ＸＡ）を当該エスカレータ他側の手摺ベルト（５０）に移し替える前に、前記停止するエスカレータ及びその手摺ベルト（５０）を、前記表示テープ（４０）の最終貼付工程の貼付長さ相当の長さ、当該停止する表示テープ貼付装置（Ｘ，ＸＡ）及びその操作者とともに後退させて停止させ、当該後退位置、若しくは、前記エスカレータ及びその手摺ベルト（５０）の後退工程において、前記表示テープ貼付装置（Ｘ，ＸＡ）を一側手摺ベルト（５０）から外して、他側手摺ベルト（５０）の開放頂部対向位置に移し替え、然る後、当該表示テープ貼付装置（Ｘ，ＸＡ）をその操作者が把持して、停止する当該手摺ベルト（５０）の長さ方向に沿って、その開放頂部他端部まで進行させ、表示テープ（４０）を当該手摺ベルト（５０）の開放頂側部へ貼付する等、前記と同様な貼付操作の繰返しにより、当該エスカレータの両側手摺ベルト（５０、５０）全長の頂側部に、表示テープ（４０）を貼付することを特徴とする請求項８〜１１の何れかに記載の長尺材への表示テープ貼付方法。
【請求項１３】
公園、名所、旧跡等の各種施設、展示物周りの手摺（７１）、案内柵、区画柵等の長尺材の一端部、又は当該長尺材（７１）から起立する掲示物（７８）の隣接部、若しくは、表示テープの貼付を必要とする領域の長尺材の一端部に取り付けた表示テープ貼付装置（Ｘ、ＸＡ）を、当該長尺材（７１）の他端部、又は隣接する起立掲示物（７８）、若しくは表示テープの貼付を必要する領域の他端部まで進行させて、当該領域の長尺材７１の頂側部に前記と同要領で表示テープ（４０）を貼付した後、当該表示テープ貼付装置（Ｘ，ＸＡ）を隣接する長尺材７１、又は隣接する起立掲示物（７８）間の長尺材、若しくは表示テープ（４０）の貼付を必要とする領域の長尺材端部に移し替え、当該表示テープ貼付装置（Ｘ、ＸＡ）による前記と同様な貼付操作の繰返しにより、当該長尺材（７１）の全長若しくは貼付を必要とする全領域の頂側部に、表示テープ（４０）を貼付することを特徴とする請求項８記載の長尺材への表示テープ貼付方法。
【発明の詳細な説明】
【技術分野】
【０００１】この発明は、長尺材への表示テープ貼付装置及び貼付方法、殊に、例えば、エスカレータ又は動く歩道等の手摺ベルト、リハビリテーション施設の歩行者誘導用手摺、多数の来客訪問の予定される公園、同植物園、博物館等の各種施設、各種展示物周りの区画柵等の、各種長尺材の頂側部に、当該長尺材にかかわる模様、広告、宣伝、伝達、告示等の各種情報を表示する、長尺材への表示テープ貼付装置及び貼付方法に関するものである。
【背景技術】
【０００２】従来の長尺材への表示テープの貼付装置及び貼付方法、殊に、エスカレータ又は動く歩道等の手摺ベルト、リハビリテーション施設の歩行者誘導様手摺、多数の来客訪問の予定される公園、同植物園、博物館等の各種施設、各種展示物等周りの区画柵等の長尺材に、当該長尺材に係わる模様、広告、宣伝、伝達、告示等の各種情報を表示する、長尺材への表示テープの貼付装置及び貼付方法は見当たらないが、広義にはこれに関連する従来例として、例えば、特開２００１−２３１２号広報、特開２００２−１６７１１０号公報、特開２００３−１０４６２０号公報、特開２００４−２５０１５３号公報を挙げることができる。【０００３】特開２００１−２３１２号公報には、テープ貼付装置の右側にテープリールを、左側にテープ押えと送りローラを設け、テープリールに巻付けた紙テープをテープ押えの下方に向けて引出し、テープリールからテープ押えに至る紙テープの経路上に、当該紙テープの粘着面に当接するテンションローラを設けることにより、紙テープのテンションローラへの粘着力により、当該紙テープに引張り力を付与する発明が記載される。【０００４】特開２００２−１６７１１０号公報には、冶具本体と冶具本体に取付けるテープ貼付ヘッド及び冶具ガイドを含むとともに、テープ貼付ヘッドが冶具本体付属のスライド部罪状を水平方向に移動し、テープ貼付ヘッドと冶具ガイドとの位置関係を調整可能にしたことにより、被着体に粘着テープを安定かつ確実に貼付することができる、粘着テープの粘着冶具について記載される。【０００５】特開２００３−１０４６２０号公報には、四角形、円形、楕円形等の物品の切出しと、絆創膏接着剤面への貼付を１工程で実施することができ、しかも、貼付ロールの回転数と粘着テープの搬送速度比の変更により、粘着テープ上の物品の間隔を容易に変更できる、頂尺テープから物品を切り出し、粘着テープに貼付する装置について記載される。【０００６】特開２００４−２５０１５３号公報には、シート材からセパレータを剥離したシート状フィルムの貼付面への、異物の付着を少なくして不良品が発生しない様にするため、シート状フィルムに粘着層を介して、セパレータを剥離可能に貼付した先行側シート材と、後行側シート材とを、セパレートの端部同士を接合テープで接合し、先行側シートより漸次セパレータをシート状フィルムから剥離させながら、当該セパレータの剥離に伴って、露出するシート状フィルムを被貼付材に貼付するとともに、剥離したセパレータを巻き取りローラで巻き取るシート状フィルムの貼付方法及び装置について記載される。
【発明が解決しようとする課題】
【０００７】前記特開２００１−２３１２号広報記載のテープ貼付装置は、当該テープ貼付装置の右側にテープリールを、左側にテープ押えと送りローラを設け、テープリールに巻付けた紙テープをテープ押えの下方に向けて引出し、テープリールからテープ押えに至る紙テープの経路上に、当該紙テープの粘着面に当接するテンションローラを設けることにより、紙テープのテンションローラへの粘着力により、当該紙テープに引張り力を付与できるものの、このものにあっては、紙テープ表面の表示事項が、押圧ロールにより直接押圧されることにより、紙テープ表面の表示事項に、相応の毀損の発生を招く嫌いがあり、取分け、薄手の表示テープ貼付の際に多く発生する毀に対する充分な配慮がなされていない。
【０００８】特開２００２−１６７１１０号公報には、冶具本体と冶具本体に取付けるテープ貼付ヘッド及び冶具ガイドを含むとともに、弾性ゴムにより被覆されたテープ貼付ヘッドが、冶具本体付属のスライド部材を水平方向に移動し、テープ貼付ヘッドと冶具ガイドとの位置関係を調整可能にしたことにより、被着体に粘着テープを安定かつ確実に貼付できるものの、ここには、弾性ゴムにより被覆されたテープ貼付ヘッドにより被着体に貼付する粘着テープの保護が、テープ貼付ヘッドへの弾性ゴムの被覆により保護されるのに留まり、薄手の表示テープの保護に係わる配慮がなされていない。
【０００９】特開２００３−１０４６２０号公報記載の長尺テープから物品を切り出し、粘着テープに貼付する装置は、四角形、円形、楕円形等の物品の切出しと、絆創膏接着剤面への貼付を１工程で実施することができる外、貼付ロールの回転数と粘着テープの搬送速度比の変更により、粘着テープ上の物品の間隔を容易に変更できるに留まり、ここには、各種被貼付材へ貼付する表示テープ、殊に、薄手の表示テープを簡易、適切に貼付する思想は見当たらない。
【００１０】特開２００４−２５０１５３号公報記載の貼付方法及び装置によれば、セパレータをシート状フィルムから剥離した直後に、このシートとフィルムを貼付させることにより、セパレータの全てをシート材のシート状フィルムから剥離した後に、シート状フィルムを被貼付材に貼付する従前の貼付方法に比べて、各シート材におけるシート状フィルムの貼付層の露出面積が少なく、シート状フィルムの糊面に対する塵等の、異物の付着が少なくなり、不良品の発生を少なくできるものの、ここには、シート状フィルムを押し付け手段による押し付けるに当り、シート材の頂（表）面を保護する配慮はなされておらず、しかも、この装置はかなり大型であるから、これを、例えば、既存のエスカレータ等の、手摺ベルトの頂側面への、表示テープの貼付に適用するには無理がある。
【００１１】前記のように、従来の各種頂尺材、殊に、エスカレータ、動く歩道等の移動通路の移動手摺ベルト等に、各種宣伝、広告、教示、通達事項等の、当該手摺ベルト等に係わる各種譲歩の表示手法は、何れもかなり大型で、その操作が面倒なものが散見されるに過ぎず、しかも、何れもコスト高を伴う嫌いがあり、小型で簡易に操作でき、ローコストで提供できる各種長尺材、殊に、各種施設等に設置される既存のエスカレータ、移動通路等の手摺ベルト、各種施設又は展示物周りの囲い柵等の、頂側部への模様、表示、通達、伝達、告示等の各種情報を表示する表示テープ、取分け、薄手の表示テープを簡易、適切に貼付する貼付装置及び貼付方法は見当たらない。係る各種長尺材頂側部への各種表示テープの貼付に適し、構造が簡単、小型で、操作の容易な貼付装置及び貼付方法は見当たらず、実際にはかなり大型で、構造が複雑な貼付装置による貼付がなされるだけで、何れも長い操作時間を要し、高コストを招く嫌いがあった。
【００１２】この発明は、エスカレータ、動く歩道等の移動通路の手摺ベルト、リハビリテション施設における歩行者誘導用手摺、各種施設又は展示物周りの区両柵等の長尺材、殊に、当該長尺材の頂側部に、当該エスカレータ、動く歩道、各種施設、展示物、若しくは当該施設の設置部周りの様々な事項に係わる模様、広告、宣伝、伝達、告示等の各種情報を表示する表示テープの貼付を、大型で、複雑な貼付装置を要することなく、手持式の簡単な構造の表示テープ貼付装置により、簡易、迅速な貼付できる各種長尺材の頂側部に、当該エスカレータ、施設、展示物等に係わる各種情報を表示する表示テープを、表示テープ貼付装置を把持する操作者の押圧力により貼付する、長尺材への表示テープ貼付装置及び貼付方法を提供する。
【課題を解決する手段】
【００１３】この発明は、従来技術における、前記のような課題を解決するために、垂直平行状左右側板１、１前後の連結板１０、１０の左右両側部に、各種手摺、案内柵、規制柵等の長尺材５０、７１の垂直平行状案内ロール１５、１５を、また、前記垂直平行状左右側板１、１下部の同一平面上に、前後一対の平行状可撓性ロール１７、１１７を夫々設けるとともに、前記垂直平行状左右側板１、１の可撓性前ロール１７、１１７直上位の垂直状案内溝２に、前記長尺材５０、７１に係わる各種情報の表示層４２付き表示テープ４０のリール４０Ａを軸３７架し、該表示テープリール４０Ａを前記可撓性前ロール１７、１１７側に弾圧手段３９で弾圧する表示テープ貼付装置Ｘ、ＸＡの、前記長尺材５０、７１の長さ方向への進行により、前記表示テープリール４０Ａから引き出した表示テープ４０を、前記可撓性ロール１７、１１７により前記長尺材５０、７１に貼付させる様にした長尺材への表示テープ貼付装置である。
【００１４】また、前記前後の可撓性ロール１７、１７間の垂直平行状左右側板１、１に、前記長尺材５０、７１の全上面Ｂに当接する垂直状ブラシ足２４を備える上プラシ２０と、該長尺材５０、７１の全側面Ｃに当接する水平状ブラシ足２９、１２９を備える横ブラシ２５、１２４を順次設けたものであり、また、前記可撓性前後ロール１１７、１１７が、前記長尺材５０、７１の少なくとも上半部形状に追随して湾曲可能な可撓性を備えるとともに、該可撓性後ロール１１７直前位の垂直平行状左右側板１、１に、当該長尺材５０、７１の厚さを越える高さの水平状ブラシ足１２９を備える横ブラシ１２４を設けたものである。
【００１５】さらに、前記可撓性前ロール１１７から僅かに離間する上位に、該可撓性前ロール１１７と平行するに第１緊張軸１２０を設け、該第１緊張棒１２０に前記表示テープリール４０Ａの下部を当接可能にし、該第１緊張棒１２０と前記表示テープリール４０Ａの当接部から引き出した表示テープ４０を、前記可撓性前ロール１１７の前側を介してその下部へ誘導させるものであり、また、前記可撓性前ロール１１７の上位に、適宜間隔を存して設けた当該可撓性前ロール１１７に平行する前記第１緊張棒１２０と、前記可撓性前ロール１１７との中央部前側に、それらと平行する第２緊張棒１２２を設け、前記表示テープリール４０Ａ下部と前記第１緊張棒１２０との当接部から、それらの前側に引き出した表示テープ４０を、第２緊張棒１２２を介して、可撓性前ロール１１７の前側からその下部へ誘導させるものである。
【００１６】また、前記前後の可撓性ロール１１７、１１７間で、当該可撓性後ロール１１７よりの垂直平行状左右側板１、１に設けた前記横ブラシ１２４の、水平状ブラシ足１２９を先下がり状に構成したものであり、また、前記垂直平行状左右側板１、１を透明硬質プラスチック材製とし、該透明硬質プラスチック材製垂直平行状左右側板１、１の後側上位の欠落部３周り内側に握り棒５を設けるとともに、前記透明硬質プラスチック材製垂直平行状左右側板１、１の何れか一側の中央部外側にグリップ７を交互に取付け、取り外し可能に設けたものである。
【００１７】さらに、垂直平行状左右側板１、１前後の連結板１０、１０の左右両側部に、対向間隔の調整可能な二対の垂直案内ロール１５、１５を、また、前記垂直平行状左右両側板１、１下部の同一平面上に、前後一対の平行状可撓性ロール１７、１７、１１７、１１７を夫々設け、該垂直平行状左右両側板１、１下部の可撓性前ロール１７、１１７直上位の垂直状案内溝２に、裏面の接着剤４３に剥離テープ４４が貼付され、各種手摺、案内柵等の長尺材５０、７１に係わる情報表示層４２を内側に巻付けた表示テープリール４０Ａを、前記可撓性前ロール１７、１１７側へ弾圧する様に軸３７架した表示テープ貼付装置Ｘ、ＸＡを、当該長尺材５０、７１の長さ方向へ進行させて、前記表示テープリール４０Ａ下部の可撓性前ロール１７、１１７上部と表示テープリール４０Ａ下部との当接部から、それらの前側に引き出した表示テープ４０を、当該可撓性前ロール１７、１１７前側を介してその下部に誘導し、該可撓性前ロール１７、１１７により前記長尺材５０、７１の頂部に貼付し、然る後、該表示テープ４０の左右両側部４１Ｂを、前記可撓性前ロール１７、１１７後位の垂直平行状左右側板１、１上の横ブラシ２５、１２４により、当該長尺材５０、７１側部に貼付する長尺材への表示テープ貼付方法である。
【００１８】また、前記表示テープリール４０Ａの下部と、前記可撓性前ロール１１７よりやや上位で、該可撓性前ロール１１７と平行する第１緊張棒１２０上部との当接部から、それらの前側に引き出した表示テープ４０を、該可撓性前ロール１１７の前側に沿ってその下側へ誘導し、該可撓性前ロール１１７により前記長尺材５０、７１に貼付する表示テープ貼付方法である。
【００１９】さらに、前記表示テープ貼付装置Ｘ、ＸＡを、停止するエスカレータ、動く歩道等の長尺材の、左右何れか一側の手摺ベルト５０又は手摺７１の開放された端部上側に取付けた後、該表示テープ貼付装置Ｘ、ＸＡを把持する操作者が、停止する当該エスカレータの階段を降り、又は移動通路を進行して、当該手摺ベルト５０又は手摺７１の開放された頂部の他端部まで表示テープ４０を貼付した後、前記エスカレータ、動く歩道等の移動通路を駆動して、当該エスカレータ又は動く歩道、その手摺ベルト５０又は手摺７１、停止する表示テープ貼付装置Ｘ、ＸＡ及びその操作者を、前記表示テープ４０の貼付長さ相応に後退させて停止させ、当該表示テープ貼付装置Ｘ、ＸＡによる移動手摺ベルト５０又は手摺７１への当該表示テープ４０の前記貼付操作と同様な操作の繰返しにより、当該移動手摺ベルト５０又は手摺７１全長の頂側部に表示テープ４０を貼付し、然る後、当該表示テープ貼付装置Ｘ、ＸＡを一側移動手摺ベルト５０又は手摺７１から取り外して、他側手摺ベルト５０又は手摺７１の開放された端部に取り付け、該表示テープ貼付装置Ｘ、ＸＡによる前記と同様な貼付操作の繰り返しにより、他側手摺ベルト５０又は手摺７１全長の頂側部に表示テープ４０を貼付し、次いで、当該表示テープ貼付装置Ｘ、ＸＡを当該手摺ベルト５０又は手摺７１の開放部から取り外して、次回の表示テープの操作に備える表示テープ貼付方法である。
【００２０】また、前記表示テープリール４０Ａから引き出した表示テープ４０の、前記可撓性ロール１７、１７の下部による前記長尺材５０、７１頂部への貼付に当り、前記表示テープ４０裏面の接着剤４３から剥離した遊離剥離テープ４４Ａを、該表示テープリール４０Ａ周りを一周させた後、当該表示テープリール４０Ａ周側の表示テープ本体４１の表示層４２外側と、前記可撓性前ロール１７上面間に挿入し、該遊離剥離テープ４４Ａを介して前記表示層４２を押圧する様に給送し、前記握り棒５とグリップ７を把持する操作者の押圧力により、当該表示テープ４０を前記長尺材５０、７１に貼付する表示テープ貼付方法である。
【００２１】また、前記停止するエスカレータの左右何れかの開放された手摺ベルト５０上部に取り付けた表示テープ貼付装置Ｘ、ＸＡを、当該手摺ベルト５０の長さ方向に沿ってその開放された他端部まで進行させ、当該手摺ベルト５０頂側部への表示テープ４０の前記貼付操作の繰返しにより、当該手摺ベルト５０全長の頂側部へ表示テープ４０を貼付した後、当該表示テープ貼付装置Ｘ、ＸＡを他側手摺ベルト５０の開放された端部に移し替えるとともに、前記グリップ７を垂直平行状左右側板１の一側中央部外側から他側垂直平行状側板１の中央部外側に移し替えた後、又は当該表示テープ貼付装置Ｘ，ＸＡを当該エスカレータ他側の手摺ベルト５０に移し替える前に、前記停止するエスカレータ及びその手摺ベルト５０を、前記表示テープ４０の最終貼付工程の貼付長さに相当する長さ、当該停止する表示テープ貼付装置Ｘ，ＸＡ及びその操作者とともに後退させて停止させ、当該後退位置において、若しくは、前記エスカレータ及びその手摺ベルト５０の後退工程において、前記表示テープ貼付装置Ｘ，Ｘを一側手摺ベルト５０から外して、他側手摺ベルト５０の開放される対向位置に移し替え、然る後、当該表示テープ貼付装置Ｘ，ＸＡをその操作者が把持して、停止する当該手摺ベルト５０の長さ方向に沿って、その開放される他端部まで進行させ、表示テープ４０を開放される当該手摺ベルト５０の頂側部へ貼付する等、前記と同様な貼付操作を繰返して、当該エスカレータの両側手摺ベルト５０、５０全長の頂側部に、表示テープ４０を貼付する表示テープ貼付方法である。
【００２２】さらに、公園、名所、旧跡等の各種施設、展示物周りの手摺７１、案内柵、区画柵等の長尺材の一端部、又は当該長尺材７１から起立する掲示物７８の隣接部、若しくは、表示テープの貼付を必要とする領域の長尺材の一端部に取り付けた表示テープ貼付装置Ｘ、ＸＡを、当該長尺材７１の他端部、又は隣接する起立掲示物７８、若しくは表示テープの貼付必要領域の他端部まで進行させて、当該領域の長尺材７１の頂側部に前記と同要領で表示テープ４０を貼付した後、当該表示テープ貼付装置Ｘ，ＸＡを隣接する長尺材７１、又は隣接する起立掲示物７８間の長尺材、若しくは表示テープ４０の貼付を必要とする領域の長尺材端部に移し替え、当該表示テープ貼付装置Ｘ、ＸＡによる前記と同様な貼付操作の繰返しにより、当該長尺材７１の全長若しくは貼付を必要とする全領域の長尺材の頂側部に、表示テープ４０を貼付する表示テープ貼付方法である。
【作用】
【００２３】請求項１の発明によれば、表示テープ装置Ｘ、ＸＡを各種長尺材５０、７１に取り付けてその長さ方向に進行させ、垂直平行状左右側板１、１下部の可撓性ロール１７、１１７により、当該長尺材５０、７１に係わる各種情報を表示する表示テープ４０を、表示テープリール４０Ａから引き出して頂尺材５０、７１の頂部に帖付し、その際、垂直平行状左右側板１、１下部の可撓性前ロール１７、１１７直上位の垂直状案内溝２に設けた表示テープリール軸３７が弾圧手段３９により可撓性前ロール１７、１１７側に弾圧され、表示テープリール４０Ａに当該弾圧手段３９の弾力に相応の抵抗を掛け、表示テープ４０を長尺材５０、７１の頂部に貼付する。
【００２４】請求項２の発明によれば、可撓性前ロール１７直後の垂直状ブラシ足２４を備える上ブラシ２０により、表示テープ４０の硬度が多少高く、その肉厚が多少厚く、可撓性前ロール１７の可撓性が多少低い場合にも、可撓性前ロール１７による上面押圧に続く、当該長尺材５０、７１の上面全幅に当接する垂直状ブラシ足２４により表示テープ４０上面が長尺材５０、７１上面へ押圧、貼付され、その際、やや下方へ押し下げられる表示テープ４０の左右両側部が、横ブラシ２５の水平状ブラシ足２９、１２９により、長尺材５０、７１の左右両側形状に沿うように貼付される。
【００２５】請求項３の発明によれば、可撓性前ロール１１７直後に上ブラシを設けることなく、可撓性上ロールにより表示テープ４０を長尺材５０、７１の上半部形状に沿うように貼付し、可撓性後ロール１１７直前位の垂直平行状左右側板１、１に設けた、当該長尺材５０、７１の厚さを越える高さの水平状ブラシ足１２９付き横ブラシ１２４により、表示テープ４０の左右両側部を、長尺材５０、７１の左右両側部に貼付する。
【００２６】請求項４の発明によれば、可撓性前ロール１１７から僅かに離間する上位に、可撓性前ロール１１７と平行する第１緊張軸１２０を設け、該第１緊張棒１２０の上部に下部の当接する前記表示テープリール４０Ａの、前記第１緊張棒１２０下部との当接部から表示テープ４０を引きだすことにより、当該表示テープ４０に相応の緊張力が発生し、当該表示テープ４０を様々な形状の頂尺材５０、７１の長側面に貼付する。
【００２７】請求項５の発明によれば、可撓性前ロール１１７の上位に、適宜間隔を存して設けた当該可撓性前ロール１１７に平行する第１緊張棒１２０と、可撓性前ロール１１７との中央部前側に、それらと平行する第２緊張棒１２２を設け、前記表示テープリール４０Ａ下部と第１緊張棒１２０との当接部から、それらの前側に引き出した表示テープ４０を、第２緊張棒１２２を介して、前記可撓性前ロール１１７の前側からその下部へ誘導することにより、当該表示テープリール４０Ａから引き出した表示テープ４０に、より高い緊張力を発生させる外、第２緊張軸１２２により、表示テープ４０が可撓性前ロール１１７下部へ、当該可撓性前ロール１１７の前側に当接させることなく、スムーズに誘導する。
【００２８】請求項６の発明によれば、前後の可撓性ロール１１７、１１７間で、当該可撓性後ロール１１７寄りの垂直平行状左右側板１、１に設けた横ブラシ１２４基部から端部に向って順次降下する水平状ブラシ足１２９により、表示テープ４０の中央部よりからその端部側に向って先下がり状に押圧して、例えば、当該長尺材５０、７１の中高頂部からその端部に向って、当該表示テープ４０と当該長尺材間に溜まろうとする空気をその側縁側へ排出するように貼付し、仮に、当該長尺材５０、７１の両側縁部からその内方に湾曲する端縁部のあるエスカレータの手摺等の側面へも、前記と略同様に当該表示テープ４０をムーズに貼付する。
【００２９】請求項７の発明によれば、前記垂直平行状左右側板１、１を透明硬質プラスチック材製とすることにより、当該透明硬質プラスチック材製垂直平行状左右側板１、１の後側上位の欠落部３周り内側の握り棒５と、透明硬質プラスチック材製垂直平行状左右側板１、１の何れか一側の中央部外側に取り付けたグリップ７を把持することにより、当該表示テープ貼付装置Ｘ，ＸＡ内の動作状態を、当該透明硬質プラスチック材製の垂直平行状左右側板１、１を介して直視認しながら、当該長尺材５０、７１面に表示テープ４０を貼付する。
【００３０】請求項８の発明によれば、表示テープ貼付装置Ｘ、ＸＡを、各種長尺材５０、７１に沿うように進行させることにより、表示テープリール４０Ａ下部の可撓性前ロール１７、１１７上部との当接部から、それらの前側に引き出した表示テープ４０を、当該可撓性前ロール１７、１１７周りを介してその下部に誘導して、長尺材５０、７１の頂部に貼付した後、当該長尺材５０、７１の頂部に貼付した表示テープ４０の左右側部４１Ｂを、当該可撓性前ロール１７、１１７より後位の垂直平行状左右側板１、１に設けた横ブラシ２５、１２４により、当該長尺材５０、７１側部に貼付する。
【００３１】請求項９の発明によれば、前記表示テープリール４０Ａの下部と、前記可撓性前ロール１１７の上位で、当該可撓性前ロール１１７と平行する第１緊張軸１２０上部の当接部から、当該第１緊張軸１２０による緊張力を付与して、それらの前側に引き出した表示テープ４０を、当該可撓性前ロール１１７の前側を介してその下側へ誘導し、当該可撓性前ロール１１７により前記長尺材５０、７１の頂部に貼付した後、当該可撓性前ロール１１７より後位の垂直平行状左右両側板１５、１５に設けた横プラシ２５、１２４により、当該長尺材５０、７１側部に表示テープ４０の側部を貼付する。
【００３２】請求項１０の発明によれば、前記表示テープ貼付装置Ｘ、ＸＡを、停止するエスカレータ、動く歩道等の、左右何れか一側の手摺ベルト５０又は手摺７１の、開放開放される一端部の上側に取付けた後、当該表示テープ貼付装置Ｘ、ＸＡの握り棒５及びグリップ７を把持する操作者が、停止する当該エスカレータの階段を降りて、又は移動通路を進行し、当該手摺ベルト５０又は手摺７１の開放される頂部の他端部まで表示テープ４０を貼付した後、前記エスカレータ、動く歩道等の移動通路を駆動して、当該エスカレータ又は動く歩道、その手摺ベルト５０又は手摺７１、停止する表示テープ貼付装置Ｘ、ＸＡ及びその操作者を、前記表示テープ４０の貼付長さ相応に後退させて停止させた後、当該表示テープ貼付装置Ｘ、ＸＡによる移動手摺ベルト５０又は手摺７１への当該表示テープ４０の前記貼付操作と同様な操作の繰返しにより、当該移動手摺ベルト５０又は手摺７１全長の頂側部に表示テープ４０を貼付した後、当該表示テープ貼付装置Ｘ、ＸＡを一側移動手摺ベルト５０又は手摺７１から取り外して、他側手摺ベルト５０又は手摺７１の開放された端部に取り付け、該表示テープ貼付装置Ｘ、ＸＡによる前記と同様な貼付操作の繰り返しにより、他側手摺ベルト５０又は手摺７１全長の頂側部に表示テープ４０を貼付し、次いで、当該表示テープ貼付装置Ｘ、ＸＡを当該手摺ベルト５０又は手摺７１の開放部から取り外し、適所に保管し、次の表示テープの貼付に備える。
【００３３】請求項１１の発明によれば、前記表示テープリール４０Ａから引き出した表示テープ４０の、前記可撓性ロール１７、１７下面による前記長尺材５０、７１頂部への貼付に当り、前記表示テープ４０裏面の接着剤４３から剥離した遊離剥離テープ４４Ａを、当該表示テープリール４０Ａ周りをほぼ一周させた後、当該表示テープリール４０Ａ周側の表示テープ本体４１の表示層４２外側と、前記可撓性前ロール１７上面間に、前記遊離剥離テープ４４Ａを挿入し、該遊離剥離テープ４４Ａを介して前記表示層４２上面を保護しながら押圧、給送し、握り棒５、グリップ７を把持する操作者による適度な押圧力により、可撓性ロール１７、１７を介して表示テープ４０を長尺材５０、７１に貼付する。
【００３４】請求項１２の発明によれば、停止するエスカレータの左右何れかの開放された手摺ベルト５０上部に、表示テープ貼付装置Ｘ、ＸＡを取付けて、当該手摺ベルト５０の長さ方向に沿って、その開放される他端部まで進行させ、当該手摺ベルト５０頂側部への表示テープ４０の貼付操作を繰返して、当該手摺ベルト５０全長の頂側部へ表示テープ４０を貼付した後、当該表示テープ貼付装置Ｘ、ＸＡを他側手摺ベルト５０の開放された端部に移し替えるとともに、前記グリップ７を前記垂直平行状左右側板１の一側中央部外側から外して他側垂直平行状側板１の中央部外側に移して取付けた後、又は当該表示テープ貼付装置Ｘ，ＸＡを当該エスカレータ他側の手摺ベルト５０に移し替える前に、前記停止するエスカレータ及びその手摺ベルト５０を、前記表示テープ４０の最終貼付工程の貼付長さに相当する長さ、当該停止する表示テープ貼付装置Ｘ，ＸＡ及びその操作者と同時に後退させて停止させた後、当該後退位置において、若しくは、前記エスカレータ及びその手摺ベルト５０の後退工程において、前記表示テープ貼付装置Ｘ，ＸＡを一側手摺ベルト５０から外して、他側手摺ベルト５０の開放される対向位置に移し替え、然る後、当該表示テープ貼付装置Ｘ，ＸＡをその操作者が把持して、停止する当該手摺ベルト５０の長さ方向に沿って、その開放される他端部まで進行させ、表示テープ４０を開放される当該手摺ベルト５０の頂側部へ貼付する等、前記と同様な表示テープの貼付操作を繰返して、当該エスカレータの両側手摺ベルト５０、５０全長の頂側部に、表示テープ４０を貼付する。
【００３５】請求項１３の発明によれば、公園、名所、旧跡等の各種施設、展示物周りの手摺、案内柵、区画柵等の長尺材の一端部、又は当該長尺材から起立する複数の起立掲示物（表示テープ貼付上の障害物）の隣接部、若しくは、表示テープの貼付を必要とする領域の長尺材の一端部に取り付けた表示テープ貼付装置Ｘ，ＸＡを、当該長尺材の他端部、又は隣接する起立掲示物、若しくは表示テープの貼付を必要とする領域の他端部まで進行させ、当該領域の長尺材の頂側部に前記と同要領で表示テープ４０を貼付した後、当該表示テープ貼付装置Ｘ，ＸＡを隣接する長尺材７１、又は隣接する起立掲示物７８間の長尺材、若しくは表示テープ４０の貼付を必要とする長尺材領域の一端部に移し替え、当該表示テープ貼付装置Ｘ，ＸＡによる前記と同様な貼付操作を繰返して、当該長尺材の全長若しくは貼付を必要とする全領域の長尺材に表示テープを貼付する。
【実施態様】
【００３６】  以下、この発明に係るエスカレータ、移動通路等の手摺ベルト、各種施設周りの区画柵等の長尺材への表示テープ貼付装置Ｘ、ＸＡ及び貼付方法の第１、２実施態様を、添付の図１〜１３を参照して説明する。なお、第１、２実施態様Ｘ、ＸＡに共通する部分には同一名称、同一符号を用いる。
【第１実施態様】
【００３７】  図１〜７は、この発明に係るエスカレータ、動く歩道等の移動通路の、適宜断面形状の手摺ベルト５０の頂側部に、当該エスカレータ、動く歩道等の移動通路およりそれらの設置領域回りの各種情報を表示する表示テープの貼付装置の第１実施態様Ｘを略示するもので、図１は表示テープ貼付装置Ｘの正面説明図、図２はその握り棒５の一部を切除して示す平面説明図、図３はその後面図、図４は図１のＹ１−Ｙ１線に沿う拡大模式縦断説明図で、図４の左半部は上ブラシ２０周り、右半部は横ブラシ２５周りの、夫々の関係構造を略示した。図５は表示テープ貼付装置Ｘによる表示テープ４０を表示テープリール４０Ａから引き出して、手摺ベルト５０の頂部５４へ貼付する状態の、拡大模式作用説明図、図６は各種の情報を表示した表示テープ４０の模式平面説明図、図７は表示テープ４０の拡大模式縦断説明図である。
【００３８】図１〜７において、１はエスカレータ、動く歩道等の移動通路の、移動する手摺ベルト５０の頂部５４、側部５５に、表示テープ４０を貼付する表示テープ貼付装置Ｘの垂直状側板で、左右の垂直状側板１、１は対称形ものとして、例えば、透明な硬質アクリル樹脂材製の強固なものとして構成され、側板１、１は、エスカレータ、動く歩道等の移動手摺ベルト５０を、自由に通過させる間隔を存して配設される。２は垂直平行状左右側板１、１の前（図２では右）部上側の垂直状案内溝、３は側板１の後（図２で左）側上部の欠落部、５は握り棒で、握り棒５は左右側板１、１の後上部（図２では欠落部３の直近下位）に配設され、左右両側板１、１をねじ６により連結し、左右両側板１、１の必要な、例えば、手摺ベルト５０の通過可能な間隔を確保する。７は左右側板１、１の中央部外側にねじ８止めしたグリップで、グリップ７は左側板１の中央部外側へねじ８止した状態から、ねじ８を緩めて取り外し、右側板１中央部外側の１点鎖線７Ａ（図３）位置に移し替えて、ねじ８止め可能に構成する。
【００３９】１０は左右側版１、１の前後部をボルト１３、１３により所定間隔Ｗを確保可能に連結、固定する連結板、１４は下部に案内ロール１５を備える縦軸で、縦軸１４は水平状横長穴１２、１２に沿って左右（図３）方向に移動可能で、左右縦軸１４、１４下部の案内ロール１５、１５の間隔を調整し、調節後の位置をボルト１３で固定する。左右案内ロール軸１４、１４の下部に取付けた案内ロール１５、１５の内側間隔を、例えば、エスカレータの手摺ベルト５０の、左右側部５５、５５の最大外側面に当接する様に調節する。２０は上ブラシ、２１は上枠、２２は取付ねじ、２３は締付ねじ、２４は垂直状ブラシ足、２５は横ブラシ、２６は横枠、２７は取付ねじ、２８は締めねじ、２９は横ブラシ２５の水平状ブラシ足で、垂直状ブラシ足２４、水平状ブラシ足２９は高弾性、高剛性、高強度、低摩擦係数の合成樹脂製で、毛足のやや長いブラシ足として構成され、表示テープ４０を、任意形状の手摺ベルト５０の頂部５４、側部５５形状に沿うように押圧、貼付可能に構成され、当該上、横ブラシ２０、２５の垂直状ブラシ足２４、水平状ブラシ足２９により、表示テープ４０の表示層４２Ａの上面から、後述の遊離剥離テープ４４Ａを介して押圧される。上ブラシ２０の長さＷは、少なくとも手摺ベルト５０の幅Ｂより長く、横ブラシ２５の長さＴは、少なくとも手摺ベルト５０の厚さＣより厚い（長い）長さのものとして構成される。なお、垂直平行状左右側板１、１の中央部外側の何れか一方に、グリップ７を交互にねじ８止めして、この表示テープ貼付装置Ｘをエスカレータ等の左右移動手摺ベルト５０、５０の何れか一方に交互に取付け、その頂部５４、側部５５に表示テープ４０貼付状態における操作者の良好な使い勝手を確保する。
【００４０】上横ブラシ２０、２５により、表示テープ４０の表示層４２（表示事項）に表示される当該エスカレータ等に係わる各種情報（図６では、○、□、△、長方形、Ｙ、ジグザグ模様等により、一例を略示した）を、当該移動手摺ベルト５０の頂側部５４、５５の形状の変化に追随して表示可能に構成する。
【第１実施態様の作用】
【００４１】（表示テープ貼付装置Ｘのエスカレータ右側手摺ベルトへの取付け）まず、表示テープ４０の本体４１の表示層（表示部）４２を外側に、裏面の接着材に貼付された剥離テープ４４付裏面を内側にして巻付けた表示テープリール４０Ａを、リール３５に取付け、同リール３５の軸３７を表示テープ貼付装置Ｘの垂直平行状左右側板１、１の垂直状案内溝２、２に挿入し、同軸３７を引張りスプリング３９で前ロール１７側に常時弾引する。握り棒５、グリップ７を把持してこの表示テープ貼付装置Ｘの可撓性前後ロール１７、１７を、停止する図示しないエスカレータの、例えば、右側（左側でも可）手摺ベルト５０の、開放された手摺ベルト５０の上端頂部５４に載せ、ボルト１３、１３……を緩めてその幅（図１では上下）方向に移動させ、手摺ベルト５０前後（図１では右左）の左右（図１では上下）両側部に当接させ、その位置にボルト１３、１３……止めする。
【００４２】（遊離剥離テープを介する表示テープ貼付装置Ｘの押圧による表示テープの貼付）次いで、表示テープリール４０Ａの巻回端部を、当該表示テープリール４０Ａ下部と前押圧ロール１７上部間を通してその前（図５では右）側へ引出し、引出した表示テープ本体４１裏面の端部から剥離テープ４４を引き離し、この引き離した遊離剥離テープ４４Ａを、図５の破線の様に表示テープリール４０Ａ周りを一周させた後、その端部を表示テープリール４０Ａ周りから離れる表示テープ４０本体４１の表示層（表示情報）４２に沿って、前ロール１７周りの時計方向（図５）に廻し、図５の左側へ引き出す。なお、この状態における表示テープ本体４１及びその接着剤４３の誘導軌跡を、図５における実線４１及び細かい破線４３Ａにより模式的に略示した。この表示テープ本体４１は、その裏面の接着剤４３Ａにより、移動手摺ベルト５０の頂部５４に貼付されて停止する手摺ベルト５０の頂部５４上に残る。この状態において、可撓性前ロール１７により遊離剥離テープ４４Ａを介して、表示テープ本体４１が手摺ベルト５０の頂部５４に押圧され、剥離テープ４４が剥離された後の接着剤４３Ａにより、手摺ベルト５０の頂部５４に貼付され、遊離剥離テープ（同図における大破線）４４Ａは当該手摺ベルト５０の頂部５４上に貼付された表示テープ本体４１上に残る。したがって、表示テープ４０の表示層４２が、遊離隔離テープ４４Ａを介して可撓性ロール１７により押圧され、表示テープ４０の表示層４２が遊離剥離テープ４４Ａにより保護される。
【００４３】表示テープ貼付装置Ｘをさらに進行させると、上ブラシ２０のブラシ足２４が、表示テープ４０の表示層４２に当接し、該表示テープ４０が手摺ベルト５０頂部５４の表面形状に沿うように、当該手摺ベルト５０の最大幅｛図４ではその厚さ方向の中央部より上位（中央部より下位に垂下した下半部５５部を除く）｝に亘り、表示テープ本体４１が貼付される（図４の左側部参照）。この貼付装置Ｘをさらに進行させると、表示テープ本体４１に上ブラシ２０の垂直状ブラシ足２４が当接し、手摺ベルト５０頂部５４の形状に沿うように貼付される。この際、手摺ベルト５０の最大幅部（図４では手摺ベルト５０の上下方向の略中央部）より下部には垂直状ブラシ足２４は当接しないので、表示テープ本体４１のこの部分４１Ｂ（図４の二重の細破線部分参照）がほぼ垂直状に垂れ下り、手摺ベルト５０側部５５の下側部５６面から離間する。
【００４４】表示ベルト貼付装置Ｘをさらに進めると、横ブラシ２５の水平状ブラシ足２９が、表示テープ４０の左右両側部（図４では右側部参照）の表示層４２に当接して、表示テープ４０の表示テープ本体４１端部側への、横ブラシ２５の水平状ブラシ足２９が当接して、表示テープ本体４１端部が手摺ベルト本体５１の側部５５形状に沿うように貼付され、当該表示テープ本体４１の左右両側部が、手摺ベルト５０の頂部５４に続く、側部５５形状（例えば、湾曲状）に沿うように貼付され、係る貼付装置Ｘをさらに進行させて、開放領域の手摺ベルト本体５３の頂部４４、側部５５の全領域に表示テープ４０を、その頂側部の表面形状に沿うように貼付する。停止する手摺ベルト５０の開放された上部に取付けた表示テープ貼付装置Ｘを把持した操作者が、図示しない停止するエスカレータの階段の上部から下部まで降りながら推し進めて、手摺ベルト５０の頂部から下部まで、その長さ方向進行により、端部を停止する手摺ベルト５０の開放された上部に貼付した表示テープ４０を、当該手摺ベルト５０の頂側部５４、５５形状に沿うよう、開放された全長に亘って貼付する。なお、遊離剥離テープ４４Ａは、可撓性後ロール１７の下部通過後、引き離され、挟等の適宜手段により切断、処理される。
【００４５】（エスカレータ、手摺ベルト、表示示テープ貼付装置、操作者の移動）次に、停止するエスカレータのこの状態における、開放される範囲の階段が、当該エスカレータ周りの囲いにより隠れる領域まで、即ち、停止した階段の開放された下部が、開放される上部位置に達するまで、当該エスカレータを移動（上昇）させ、同時に手摺ベルト、貼付装置Ｘとともに、当該エスカレータに乗る貼付装置Ｘの操作者を同距離移動（上昇）させた後、エスカレータを停止させ、これにより、手摺ベルト、貼付装置Ｘ、当該貼付装置Ｘの操作者がその位置に止まる。次いで、前記と略同要領で貼付装置Ｘを停止する手摺ベルト５０の長さ方向に沿って、操作者が停止するエスカレータの階段を下部まで降りることにより、当該表示テープ４０を手摺ベルト５０の開放された頂部５４、側部５５の全長に貼付する。係る表示テープ貼付装置Ｘによる貼付操作を、当該表示テープ４０の手摺ベルト５０全長への貼付が終わるまで継続する。なお、表示テープ４０の手摺ベルト５０頂側部５４、５５への最後の貼付長さは、当該手摺ベルト５０への表示テープ４０の未貼付長さとなり、当該停止するエスカレータを、その残存する未貼付長さ相当長さ上昇させればよい。
【００４６】（他側手摺ベルトへの表示テープの貼付）一（例えば、右）側手摺ベルト５０への表示テープ４０の貼付終了後、その貼付装置Ｘを同手摺ベルト５０から外し、グリップ７を貼付装置Ｘの他（右）側の垂直平行状側板１外側に取付け、他（左）側手摺ベルト５０に前記と同要領で取付ける。以下、前記と同様な貼付装置Ｘによる貼付操作を繰返し、表示テープ４０を他側手摺ベルト５０全長の頂側部５４、５５に貼付する。当該エスカレータの両側手摺ベルト５０への、表示テープ４０の貼付終了後、貼付装置Ｘを手摺ベルト５０から外して、他側手摺ベルト５０への表示テープ４０の貼付をし、当該貼付装置Ｘによる手摺ベルト５０への表示テープ４０貼付を終了させる。
【００４７】なお、一（例えば、右）側手摺ベルト５０への表示テープ４０の貼付終了後、一側手摺ベルト５０に取付けた貼付装置Ｘを、同側手摺ベルト５０から取外し、グリップ７を貼付措置Ｘの他側側板１外側に取付けて、他側手摺ベルト５０へ取付けるのは、一側手摺ベルト５０への表示テープ４０の貼付終了直後に代えて、一側手摺ベルト５０への表示テープ４０の貼付終了後、停止するエスカレータを、その開放される下部が上部へ上昇するまで動かしてから停止させた後、又は、その上昇する途中において、この貼付装置Ｘを移し替えることもできる。
【第１実施態様の作用】
【００４８】次に、第１実施態様のエスカレータ等の、動く通路の移動手摺ベルト５０の頂側部５４、５５への、表示テープ貼付装置Ｘの貼付作用を説明する。
【００４９】表示テープ４０のテープ本体４１表面には、各種情報４２が表示され、裏面の接着材４３に剥離テープ４４の貼付される表示テープ４０を、その表示層４２を外側、裏面を内側に巻き付けた表示テープリール４０Ａをリール３５に取付け、この表示テープリール４０Ａから引き出した表示テープ本体４１を、手摺ベルト５０の頂側部５４、５５の形状に沿うように、前記上、横ブラシ２０、２５の垂直、水平ブラシ足２４、２９により順次押圧して、表示テープ本体４１を手摺ベルト５０の頂側部５４、５５に貼付して、表示テープ４０の表示層（事情）４２を当該施設周りへの来場者、殊に、当該エスカレータ利用者の手元の手摺ベルト５０上に表示し、直ちに、しかも、平易に視認、告知可能にする。
【００５０】（歩行者誘導装置の手摺への表示テープ貼付）図８は、この発明に係る表示テープ貼付装置Ｘ（図８ではその輪郭を破線で略示）により、表示テープ４０を長尺材としての、例えば、リハビリテーション施設等の歩行者誘導装置７０の、長尺手摺本体７１の頂側部７２、７３に貼付する要領を略示する模式斜視説明図である。なお、ここでは、前記第１実施態様の表示テープ貼付装置Ｘと共通する部分には、同一名称、同一符号を用いる。
【００５１】図８において、７１はリハビリテーション施設等の歩行者誘装置７０の、手摺７０Ａの手摺本体、７２、７３は手摺本体７１の頂部、側部、７４は手摺本体７１の支柱、７５はその基台である。７８は手摺本体７１の長さＬ方向の、例えば、中央部から起立する起立掲示物で、係る掲示物７８により手摺本体７１に沿う進行が阻止され、貼付操作の障害物となる。
【００５２】歩行者誘導装置７０の手摺７０Ａ右上（図８）側の、手摺本体７１の一（図８では右）端部に表示テープ貼付装置Ｘを、前記第１実施態様の手摺ベルト５０への取付けと、略同要領で取付けた後、表示テープ貼付装置Ｘを手摺本体７１中央部の起立掲示物７８まで進行させ、その頂側部７２、７３に表示テープ４０を、前記と略同要領で貼付する。この表示テープ４０の表示情報４２は、前記第１実施態様の表示情報の実体とは相違し、例えば、当該リハビリテーション施設に係わる掲示、告示情報となる。表示テープ貼付装置Ｘを手摺本体７１の長さ方向に沿って長さＬ１、同図左側へ進行させて貼付し、表示テープ４０を適宜手段（例えば、鋏）により切断し、その端部を当該手摺本体７１に、当該操作者の手指又は手貼ブラシ等によりむらなく帖付する。
【００５３】然る後、当該貼付装置Ｘを手摺本体７１から取外し、起立掲示物７８より前（図８では左）側の手摺本体７１の起立掲示物７８に近接する端部に取り付け、手摺本体７１の長さ方向に進行させ、その頂側部７２、７３に前記と略同要領で表示ベルト４０を長さＬ２貼付する。貼付後、貼付装置Ｘを手摺本体７１から取外すとともに、グリップ７を垂直右側板１から外して垂直左側側板１外側に取付け、この貼付装置Ｘを他（図８では手前）側の手摺本体７１端部に取付け、以後は前記右側手摺本体７１への貼付操作と略同要領で、他側手摺本体７１の頂側部７２、７３全長Ｌに、表示テープ４０を貼付する。
【００５４】なお、仮に、当該手摺本体７１の、起立掲示物７８の立ち上がり部周りに、表示テープリール４０Ａから引き出した表示テープ４０を貼付するスペースを確保できれば、当該起立掲示物７８の一側から他側へ表示テープ貼付装置Ｘを移し替える際、当該表示テープ４０を切断することなく、相応長さ引き出して手摺本体７１の長側部に人手等により直接押圧、貼付し、隣接領域の手摺本体７１の頂側部に、表示テープを連続するように貼付できる。
【００５５】なお、表示テープ４０の表示情報４２が、その長さ方向に非対称形で、当該表示情報４２の係る方向違いによる何らかの差し障りがあれば、当該表示テープ貼付装置Ｘを左側長尺手摺本体７１の左側端部へ取付けることなく、この貼付装置Ｘをその操作者が把持して、当該歩行者誘導路の右側（同図８）へ戻り、グリップ７を対側側板１の外側に取付け、左側手摺７０の右端に取付けた後、表示テープ貼付装置Ｘを左側へ進行させ、左側手摺本体７１全長の頂側部７２、７３に表示テープ４０を、その表示情報の方向を、前記右側手摺本体７１頂側部７２、７３の表示テープ４０表示情報４２と同方向に貼付する。
【００５６】（各種施設、展示物周りの区画柵等への表示テープ貼付）この表示テープ貼付装置Ｘは、図示しないが、その表示テープ４０の表示情報４２を選択することにより、公園、動植物園等の各種施設、博物館を始め、各種展示物等周りの、適宜断面形状の区画柵等の頂側部に、当該各種施設や各種展示物等に係わる各種情報を表示した表示テープ４０を、前記貼付装置Ｘによる貼付要領と略同要領で貼付し、当該施設、展示物等に係わる各種情報を、それぞれの区画柵等の長尺材頂側部に表示して視認、告知する。
【第２実施態様】
【００５７】次に、この発明に係る表示テープ貼付装置の第２実施態様ＸＡを、図９〜１３を参照して説明する。なお、前記図１〜７に略示した第１実施態様の表示テープ貼付装置Ｘと共通する部分には、同一名称、同一符号を用いる。
【００５８】図９はこの発明に係る表示テープ貼付装置の第２実施態様ＸＡの、一部（握り棒５の中央部）を切除して略示する模式平面説明図、図１０はその模式側面説明図、図１１はその模式正面説明図、図１２は図９のＹ２−Ｙ２線に沿う模式縦断説明図、図１３はその模式作用説明図である。なお、図１２では、備える横ブラシ１２４の水平状ブラシ足１２９を挟持するブラシ棒１２６の頂部を、押え板１２５により片持状に挟持するものを実線によりに図示した外、同図１２では、実線押え板１２５端部に、破線１２５Ａの様に左側へ延長し、同様に破線で示す締めボルト１２８Ｂにより、同延長部１２５Ａを締め付ける、両持ち構造にすれば、横ブラシ１２４のブラシ棒１２６を一層強固に支持できる。
【００５９】図９〜１３において、１１７はこの発明の第２実施態様ＸＡの垂直平行状側板１、１下部、同一平面上に設けた可撓性ロール、１１９はリール３５に取り付けた表示テープリール４０Ａのから引き出す表示テープ４０に、テンションを掛ける緊張装置で、緊張装置１１９は、第１緊張棒１２０と２緊張棒１２２からなり、第１緊張棒１２０は垂直案内溝２の直下で、前記前可撓性ロール１１７から僅かに離間するように設けられ、締めねじ１２１により垂直平行状側板１、１に固定される。１２２は第２緊張棒で、第２緊張棒１２２は第１緊張棒１２０と前可撓性ロール１１７との中間部の、前（図１０では右）側に位置する。１２３は締めねじ、１２４は横ブラシ、１２５は横ブラシ棒１２６の押え、１２７は横ブラシ１２４の垂直平行状側板１への締めボルト、１２８は横ブラシ棒１２６押え１２５の締めボルト、１２９は水平状ブラシ足で、横ブラシ棒１２６は先（図１０における左側）下がり状をなし、その先端側に取り付けた水平状ブラシ足１２９の取付部の有効高さＴ（図４参照）が、手摺ベルト本体５３の厚さＣ（図４参照）よりやや高く（長く）なるように構成され、長尺材（手摺本体）７１全長の頂側部に当接可能に構成される。その予の構造は、前記第１実施態様と略同様である。
（第２実施態様の作用）
【００６０】第２実施態様の表示テープ貼付装置ＸＡは、エスカレータの手摺ベルト５０（図５、１２）、歩行者誘導装置７０の手摺７１（図８）を始め、各種展示物件等の誘導柵、囲い柵等に取り付け、当該手摺ベルト５０（歩行者誘導装置７０の手摺７１も同様）等に係わる各種情報の表示層４２Ａを表側に、剥離テープ４４付き接着剤４３塗布層を裏側に備える表示テープ４０を、表示テープ貼付装置ＸＡのリール３５周りに巻き付け、この表示テープ貼付装置ＸＡを適宜手摺ベルト（長尺材）５０に取り付け、その握り棒５、グリップ７を把持して、手摺ベルト５０の頂部５４側に押圧しながらその長さ方向に進行させて、手摺ベルト５０の頂側部に帖付する点は、前記第１実施態様の表示テープ貼付装置Ｘと略同様であるが、第２実施態様の表示テープ貼付装置ＸＡでは、手摺ベルト５０への表示テープ４０の貼付に先立って、当該表示テープ４０に積極的にテンションを掛けるための第１、第２緊張棒１２０、１２２からなる緊張装置１１９を、垂直平行状左右側板１、１に設けた点で、前者と相違する。
【００６１】第２実施態様の表示テープ貼付装置ＸＡは、引張りスプリング３９により常時下方へ引張られる表示テープリール４０Ａの下部が第１緊張棒１２０に当接、弾圧されることにより、引張られる表示テープ４０に適度な緊張（抵抗）力が掛かる外、当該表示テープ４０を第２緊張棒１２２に掛けて、さらに大きな緊張（抵抗）力を掛かる。この表示テープ４０は、可撓性前ロール１１７の前側、上部に位置する第２緊張棒１２２を介して、当該可撓性前ロール１１７の下側に誘導されるから、該表示テープ４０は可撓性前ロール１１７の前側に触れることく、当該可撓性前ロール１１７の下部に誘導されて、手摺ベルト５０の頂面５４に帖付される。この際、可撓性前ロール１１７に充分な可撓性があれば、図１２の様に当該可撓性前ロール１１７の下部が、様々な形状の湾曲面１１７Ｂのような湾曲形状に沿うように変形しながら貼付する。表示テープ貼付装置ＸＡの進行により、当該手摺ベルト５０の側部に表示テープ４０の側部が、その上側部から下側部に向って、即ち、先下がり状に降下する横ブラシ１２４の水平状ブラシ足１２９により、当該手摺ベルト５０の側部形状に沿うように、上側から下側に向って順次貼付される。
【００６２】なお、第２実施態様の第２緊張棒１２２は、図示しないが、省略することもでき、この場合には第１緊張棒１２０への表示テープリール４０Ａの当接により、当該表示テープ４０に相応のテンションが掛かる。この場合には、第１緊張棒１２０から前側（図１０、１３では右側）に引き出された表示テープ４０（詳しくは、表示テープ本体４１Ａ、表示層４２Ａ、接着剤４３Ａ）に掛かる引張り力の大半が、可撓性前ロール１１７の前側（図１０、１３の右側）に直接掛かるから、当該可撓性前ロール１１７の減耗対策を、早期に立てるのがよい。また、表示テープリール１０Ａから剥離し、当該表示テープリール４０Ａ周りを略半周した後（図１３では左）方へ排出される遊離薄利テープ４４Ａを、例えば、握り棒５の上側から、垂直平行状左右側板１、１の後側へ排出し、挟等による切断、処理する。
【００６３】前記表示テープ貼付装置Ｘ、ＸＡによるエスカレータ等の移動通路の手摺ベルト５０、又は歩行者誘導装置７０の手摺７１の頂側部への、表示テープ４０の最終貼付工程における、当該エスカレータ等の移動通路の、手摺ベルト５０の後退距離、及びその後の表示テープ４０の貼付長さを、当該エスカレータの手摺ベルト５０又は手摺７１等の頂側部への、当該表示テープ４０の未貼付長さとすることにより、夫々の手摺ベルト５０、手摺７１の頂側部への、当該表示テープ４０の貼付効率が向上する。
【効果】
【００６４】この発明は、前記のような構成を備え、作用をするから、以下に述べるような、特有の効果を奏する。
【００６５】（１）  請求項１の発明によれば、エスカレータ、移動通路等の各種手摺ベルト、リハビリテーション等の各種施設の歩行、その他の訓練者等の誘導用の手摺、公園、動植物園等の各種施設、各種展示物周り等の区画柵等の、各種長尺材に表示テープ貼付装置を取り付けた後、該表示テープ貼付装置を人手により、長尺材の頂側部に沿うように進行させ、各種長尺材の頂側部に、当該長尺材に係わる各種情報を表示した表示テープを簡易、迅速に貼付する。
【００６６】（２）  表示テープ貼付装置を、その垂直平行状左右側板下部の同一平面上に配した前後一対の可撓性ロールと、当該垂直平行状左右側板前後の連結板の左右に設けた垂直状案内ロールにより、当該長尺材の長さ方向への進行により、表示テープリールから表示テープを引き出し、その際、垂直平行状左右側板下部の可撓性前ロール直上位の垂直状案内溝に設けた表示テープリールの下部が、弾圧手段により可撓性前ロール上側部側に適度に弾圧され、長尺材の頂側部に貼付する。
【００６７】（３）  表示テープ貼付装置の構造が簡単で、モータ等の動力によることなく、人手のみで操作でき、しかも、既存のエスカレータの手摺ベルト、移動通路の手摺、各種施設等の案内柵、囲い柵等の長尺材の、多少の構造変更の影響を殆ど受けることなく、表示テープ貼付装置の垂直ガイドロールの、間隔調整等の簡易な操作により、異なる形状、寸法の各種長尺材に、夫々に係わる各種情報を表示する表示テープを、夫々の設置現場に当該表示テープ貼付装置を取り付けて貼付する。
【００６８】（４）  毛足がやや長く、適度な剛性と弾性を備え、低摩擦係数の、例えば、合成樹脂製のブラシ足を備える上ブラシ、横ブラシを前後に設ければ、当該表示テープ貼付装置下部の前後左右に設けた垂直案内ロールの間隔調整との関連において、異なる寸法、形状の長尺材の頂側部へ、夫々に係わる各種情報を表示する表示テープを簡易、迅速に貼付する。
【００６９】（５）  請求項２の発明によれば、垂直状ブラシ足を備える上ブラシを可撓性前ロール直後に設けたことにより、表示テープの硬度が多少高く、肉厚が多少厚く、当該可撓性前ロールの可撓性等に多少難がある場合にも、可撓性前ロールに続く水平状ブラシ足を備える横ブラシにより、かなり複雑な形状の長尺材の頂側面に、当該表示テープを無理なく貼付する。
【００７０】（６）  請求項３の発明によれば、可撓性前後ロールの表示テープへの当接部の可撓性を、長尺材の概ね上半部形状に沿うように湾曲する肉厚のものとして構成したことにより、可撓性前ロールの直後に、垂直状ブラシ足を備える上ブラシを設けることなく、当該高可撓性前ロールにより、比較的肉薄な表示テープを各種断面形状の頂尺材の頂部に、無理なく貼付する。
【００７１】（７）  請求項４の発明によれば、可撓性前ロールから僅かに離間する上位に、可撓性前ロールと平行する様に設けた第１緊張棒の上部に、当接する前記表示テープリールの下部から表示テープを引きだすことにより、当該表示テープに相応の緊張力が発生し、当該表示テープを様々な形状の頂尺材の長側面に無理なく貼付する。
【００７２】（８）  請求項５の発明によれば、可撓性前ロールの上位に、適宜間隔を存して設けた当該可撓性前ロールに平行する第１緊張棒と、可撓性前ロールとの中央部前側に、それらと平行する第２緊張棒を設け、前記表示テープリール下部と第１緊張棒との当接部から、それらの前側に引き出した表示テープを、第２緊張棒を介して、前記可撓性前ロールの前側からその下部へ誘導させたことにより、当該表示テープリールから引き出した表示テープに、一層強力な緊張力を発生させる外、第２緊張軸により、表示テープが可撓性前ロール下部へ、当該可撓性前ロールの前側に当接させることなく、スムーズに誘導する。
【００７３】（９）  請求項６の発明によれば、前後の可撓性ロール間の、可撓性後ロールよりの垂直平行状左右側板に設けた横ブラシの、基部側高位の水平状ブラシ足により、表示テープが、その中央部から左右両側部へ向って、先下がり状に押圧されることにより、例えば、中高長尺材の中央部から左右両側縁側に向って、当該表示テープと長尺材間に溜まろうとする空気等をその側縁側へ排出しながら貼付し、また、仮に、当該長尺材の両側縁部からその内方にさらに湾曲する端縁部の形成される、例えば、エスカレータの手摺ベルト等の長尺材を、前記と略同一貼付要領で貼付する。
【００７４】（１０）  請求項７の発明によれば、透明硬質プラスチック材製の垂直平行状左右側板の、後側上位の欠落部周り内側の握り棒と、当該垂直平行状左右側板の、何れの中央部外側のグリップを把持して貼付操作をする際にも、表示テープ貼付装置内の動作状態を、透明硬質プラスチック材製垂直平行状左右側板を透して直視しながら、当該長尺材の形状に沿う貼付をする。
【００７５】（１１）  請求項８の発明によれば、各種長尺材に取り付けた表示テープ貼付装置を、その長さ方向に進行させることにより、表示テープリール下部の可撓性前ロール上部との当接部から、それらの前側に引出した表示テープを、当該可撓性前ロール周りの前側を介してその下部に誘導し、該可撓性前ロールを介して長尺材の頂部に貼付した後、当該長尺材の頂部に貼付した表示テープの左右側部を、可撓性前ロールより後位の垂直平行状左右側板に設けた横ブラシにより、長尺材側部に貼付する。
【００７６】（１２）  請求項９の発明によれば、表示テープリールの下部と、可撓性前ロールの上位で、当該可撓性前ロールと平行する第１緊張軸上部との当接部から、第１緊張軸への弾接に基く緊張力が付与され、それらの前側に引き出された表示テープが、可撓性前ロールの前側を介してその下側へ誘導され、当該可撓性前ロールにより長尺材の頂部に貼付された後、該可撓性前ロールより後位の垂直平行状左右両側板に設けた横ブラシで、長尺材の側部に貼付する。
【００７７】（１３）  請求項１０の発明によれば、表示テープ貼付装置を、停止するエスカレータ、動く歩道等の長尺材の、左右何れか一側の手摺ベルト又は手摺の開放部の端部上側に取付けた後、表示テープ貼付装置の握り棒及びグリップを把持する操作者が、停止するエスカレータの階段を降りて、又は移動通路を進行して、当該手摺ベルト又は手摺の開放頂部の他端部まで表示テープを貼付した後、エスカレータ、動く歩道等の移動通路を駆動して、エスカレータ又は動く歩道、その手摺ベルト又は手摺、停止する表示テープ貼付装置及びその操作者を、前記表示テープの貼付長さ相応長さ後退させて停止させた後、当該表示テープ貼付装置による移動手摺ベルト又は手摺への当該表示テープの前記貼付操作と同様な操作を繰返して、移動手摺ベルト又は手摺全長の頂側部に表示テープを貼付し、然る後、当該表示テープ貼付装置を一側移動手摺ベルト又は手摺から取り外し、他側手摺ベルト又は手摺の開放された端部に取り付け、該表示テープ貼付装置による前記と同様な貼付操作の繰り返しにより、他側手摺ベルト又は手摺全長の頂側部に表示テープを貼付し、次いで、当該表示テープ貼付装置を当該手摺ベルト又は手摺の開放部から取り外し、別の長尺材への表示テープの貼付に備える。
【００７８】（１４）  請求項１１の発明によれば、表示テープリールから引き出した表示テープの、可撓性前ロール下面による長尺材頂部への貼付に当り、表示テープ裏面の接着剤から剥離した遊離剥離テープを、表示テープリール周りを一周させた後、当該表示テープリール周側の表示テープ本体の表示層外側と可撓性前ロール上面間に挿入し、可撓性前後ロールにより該遊離剥離テープを介して前記表示層を保護しながら前記表示テープを、握り棒、グリップを把持する操作者の押圧力で押圧しながら給送し、表示テープを長尺材に貼付する。
【００７９】（１５）  請求項１２の発明によれば、停止するエスカレータの左右何れかの開放された手摺ベルト上部に取り付けた表示テープ貼付装置を、当該手摺ベルトの長さ方向に沿って、その開放された他端部まで進行させる、手摺ベルト頂側部への表示テープの貼付操作の繰返しにより、手摺ベルト全長の頂側部へ表示テープを貼付した後、当該表示テープ貼付装置を他側手摺ベルトの開放された端部に移し替えるとともに、グリップを垂直平行状左右側板の一側中央部から外して他側垂直平行状側板の中央部外側に取付けた後、又は当該表示テープ貼付装置を当該エスカレータ他側の手摺ベルトに移し替える前に、前記停止するエスカレータ及びその手摺ベルトを、前記表示テープの最終貼付工程の貼付長さに相当する長さ、当該停止する表示テープ貼付装置及びその操作者と同時に後退させて停止させた後、該後退位置、若しくは前記エスカレータ及びその手摺ベルトの後退工程において、前記表示テープ貼付装置を一側手摺ベルトから外して、他側手摺ベルトの開放される対向位置に移し替え、然る後、該表示テープ貼付装置をその操作者が把持して、停止する手摺ベルトの長さ方向に沿って、その開放される他端部まで進行させ、表示テープを開放される手摺ベルトの頂側部へ貼付する等、前記と同様な貼付操作を繰返して、エスカレータの両側手摺ベルト全長の頂側部に、表示テープを貼付する。
【００８０】（１６）  請求項１３の発明によれば、公園、名所、旧跡等の各種施設、展示物周りの手摺、案内柵、区画柵等の長尺材の一端部、又は当該長尺材から起立する複数の起立掲示物の隣接部、若しくは、表示テープの貼付を必要とする領域の長尺材の一端部に取り付けた表示テープ貼付装置を、当該長尺材の他端部、又は隣接する起立掲示物、若しくは表示テープの貼付を必要とする領域の他端部まで進行させ、当該領域の長尺材の頂側部に前記と同要領で表示テープを貼付した後、当該表示テープ貼付装置を隣接する長尺材、又は隣接する起立掲示物間の長尺材、若しくは表示テープの貼付を必要とする長尺材領域の一端部に移し替え、当該表示テープ貼付装置による前記と同様な貼付操作を繰返して、当該長尺材の全長若しくは貼付を必要とする全領域の長尺材に表示テープを貼付する。
【図面の簡単な説明】
【００８１】
【図１】  この発明に係る長尺材への表示テープ貼付装置の、第１実施態様の一部を切除して略示する模式平面説明図である。
【図２】  その模式側面説明図である。
【図３】  その模式正面説明図である。
【図４】  図１のＹ１−Ｙ１線に沿う模式拡大断面図である。
【図５】  第１実施態様の表示テープ貼付装置による、適宜断面形長尺材の頂側部への、表示テープの貼付要領を略示する、模式作用説明図である。
【図６】  表示テープの表示模様の模式平面説明図である。
【図７】  その表示テープの拡大模式縦断説明図である。
【図８】  この発明に係る表示テープ貼付装置の第１実施態様を、歩行者誘導装置の手摺に取付けた状態の模式斜視説明図である。
【図９】  この発明に係る表示テープ貼付装置の、第２実施態様の一部を切除して略示する模式平面説明図である。
【図１０】  その模式側面説明図である。
【図１１】  その模式正面説明図である。
【図１２】  図９のＹ２−Ｙ２線に沿う模式拡大縦断説明図である。
【図１３】  この発明の第２実施態様の、模式作用説明図である。
【符号の説明】
【００８２】１……垂直平行状側板
２……垂直案内溝
３……傾斜面（欠落部）
５……握り棒
６、８、１８……ねじ
７、７Ａ……グリップ
１０……連結板
１２……横長誘導溝（垂直案内ロール１５の間隔調整用）
１３……ボルト
１４……垂直案内ロール軸
１５……垂直案内ロール
１７……可撓性ロール
２０……上ブラシ
２１……上枠
２２、２７……取付ねじ
２３、２８……締付ねじ
２４……垂直状ブラシ足
２５……横ブラシ
２６……横枠
２９……水平状ブラシ足
３５……リール
３６……カラー
３７……リール軸
３８……カラー付ねじ
３９……引張りスプリング
４０……表示テープ
４０Ａ……表示テープリール
４０Ｂ……表示テープの垂下上端部（未貼付）
４０Ｃ……表示テープの水平状端部（未貼付）
４１……表示テープ本体（透明プラスチック）
４１Ａ……表示テープ本体（貼付状態）
４１Ｂ……垂下状表示テープ（未貼付）
４２……（情報）表示層
４２Ａ……表示層（貼付状態）
４３……接着剤
４３Ａ……接着剤（貼付状態）
４４……剥離テープ
４４Ａ……遊離剥離テープ
５０……手摺ベルト
５１……駆動装置（手摺ベルト）
５２……手摺ベルト受
５３……手摺ベルト本体
５４……手摺ベルト頂部
５５……手摺ベルト側部
５６……手摺ベルト下側部
５７……手摺ベルト凹部
５８……手摺ベルト開口部
７０……歩行者誘導装置
７０Ａ……手摺
７１……手摺本体
７２……手摺頂部
７３……手摺側部
７４……手摺支柱
７５……手摺基台
７８……起立掲示物（テープ貼付障害物）
１１７……可撓性ロール
１１７Ｂ……変形部（可撓性ロール）
１１９……緊張（抵抗）装置（表示テープ）
１２０……第１緊張（抵抗）棒
１２１……締ねじ
１２２……第２緊張（抵抗）棒
１２３……締めねじ
１２４……横ブラシ
１２５……横ブラシ棒押え板
１２６……横ブラシ棒
１２７……締めボルト
１２８……締めボルト
１２９……水平状ブラシ足
Ｂ……手摺ベルトの幅
Ｃ……手摺ベルトの厚さ
Ｅ……回転方向（表示テープリール）
Ｈ……進行方向（表示テープ貼付装置）
Ｌ……手摺の長さ
Ｌ１……手摺前部の長さ
Ｌ２……手摺後部の長さ
Ｔ……上ブラシの長さ
Ｗ……横ブラシの長さ
Ｘ……表示テープ貼付装置（第１実施態様）
ＸＡ……表示テープ貼付装置（第２実施態様）
【図１】
2006290611.tif 000003
【図２】
2006290611.tif 000004
【図３】
2006290611.tif 000005
【図４】
2006290611.tif 000006
【図５】
2006290611.tif 000007
【図６】
2006290611.tif 000008
【図７】
2006290611.tif 000009
【図８】
2006290611.tif 000010
【図９】
2006290611.tif 000011
【図１０】
2006290611.tif 000012
【図１１】
2006290611.tif 000013
【図１２】
2006290611.tif 000014
【図１３】
2006290611.tif 000015